(57)【要約】【課題】画像形成装置本体にオプション装置を装着可能な画像形成装置において、本体コントローラとオプションコントローラとの間の通信線の断線の可能性を検知する。【解決手段】オプション装置２０Ａは、オプションコントローラ２１Ａを備える。一方、装置本体１０は、通信線３０Ａ等を介してオプションコントローラ２１Ａを制御する本体コントローラ１１を備える。オプション装置２０Ａには、無線タグ２２Ａが取り付けられる。一方、装置本体１０には、無線タグに対する問い掛けを行うタグリーダ１２が設けられる。断線検知部１１ａは、本体コントローラ１１がオプションコントローラ２１Ａとの通信に失敗した場合であって、かつ、タグリーダ１２が無線タグ２２Ａからの応答を受けた場合、通信線３０Ａ等に断線の可能性有りと判断する。【選択図】図１
2006163092.tif 000002
【特許請求の範囲】
【請求項１】
画像形成装置本体にオプション装置を装着可能な画像形成装置であって、
オプション装置には、当該オプション装置を制御するオプションコントローラと、外部からの問い掛けに対して応答を返す無線タグと、が設けられ、
画像形成装置本体には、通信線を介してオプションコントローラを制御する本体コントローラと、無線タグに対する問い掛けを行うタグリーダと、が設けられ、
本体コントローラがオプションコントローラとの通信に失敗した場合であって、かつ、タグリーダが無線タグからの応答を受けた場合、通信線に断線の可能性有りと判断する断線検知手段を有することを特徴とする画像形成装置。
【請求項２】
請求項１に記載の画像形成装置であって、
オプション装置は複数であり、
断線検知手段は、各オプション装置について、本体コントローラが当該オプション装置のオプションコントローラとの通信に失敗した場合であって、かつ、タグリーダが当該オプション装置の無線タグからの応答を受けた場合、当該オプション装置に係る通信線に断線の可能性有りと判断することを特徴とする画像形成装置。
【請求項３】
請求項１または２に記載の画像形成装置であって、
断線検知手段により断線の可能性有りと判断された場合にその旨をユーザに通知する断線通知手段をさらに有することを特徴とする画像形成装置。
【発明の詳細な説明】
【技術分野】
【０００１】
本発明は、画像形成装置本体にオプション装置を装着可能な画像形成装置に関する。
【背景技術】
【０００２】
複写機やプリンタ等の画像形成装置には、画像形成装置本体にオプション装置を装着可能なものがある（例えば、特許文献１、２を参照）。このオプション装置としては、フィニッシャ、自動原稿送り装置（ＡＤＦ）、大容量給紙トレイ、両面印刷ユニットなど、多くのものが知られている。このような画像形成装置では、オプション装置を選択的に装着することにより、ユーザの用途に応じた機能構成とすることができる。
【０００３】
オプション装置の多くは当該オプション装置を制御するオプションコントローラを備えており、このオプションコントローラはハーネス等の通信線によって装置本体の本体コントローラに接続される。そして、本体コントローラがオプションコントローラを制御することによってオプション装置の動作制御が行われる。
【０００４】
【特許文献１】特開２００２−２０５９号公報
【特許文献２】特開２００３−１２７５０６号公報
【発明の開示】
【発明が解決しようとする課題】
【０００５】
上記の画像形成装置では、コネクタの抜け、コネクタの付け忘れ、コネクタの接触不良、ケーブルの断線などにより、本体コントローラとオプションコントローラとの間の通信線が断線している場合がある。この場合、本体コントローラによるオプション装置の制御が不能となり、オプション装置による機能を提供することができない。このため、通信線が断線している場合、コネクタの接続やケーブルの交換など、適切な処置をとることが必要である。このような事情より、上記通信線の断線を検知したいという要請がある。
【０００６】
そこで、本発明は、本体コントローラとオプションコントローラとの間の通信線の断線の可能性を検知することができる画像形成装置を提供する。
【課題を解決するための手段】
【０００７】
本発明は、画像形成装置本体にオプション装置を装着可能な画像形成装置であって、オプション装置には、当該オプション装置を制御するオプションコントローラと、外部からの問い掛けに対して応答を返す無線タグと、が設けられ、画像形成装置本体には、通信線を介してオプションコントローラを制御する本体コントローラと、無線タグに対する問い掛けを行うタグリーダと、が設けられ、本体コントローラがオプションコントローラとの通信に失敗した場合であって、かつ、タグリーダが無線タグからの応答を受けた場合、通信線に断線の可能性有りと判断する断線検知手段を有することを特徴とする。
【０００８】
本発明の好適な態様では、オプション装置は複数であり、断線検知手段は、各オプション装置について、本体コントローラが当該オプション装置のオプションコントローラとの通信に失敗した場合であって、かつ、タグリーダが当該オプション装置の無線タグからの応答を受けた場合、当該オプション装置に係る通信線に断線の可能性有りと判断する。
【０００９】
また、本発明の好適な態様では、断線検知手段により断線の可能性有りと判断された場合にその旨をユーザに通知する断線通知手段をさらに有する。
【発明の効果】
【００１０】
本発明によれば、本体コントローラとオプションコントローラとの間の通信線の断線の可能性を検知することができる。
【発明を実施するための最良の形態】
【００１１】
以下、本発明の実施の形態を図面に従って説明する。
【００１２】
図１は、本実施の形態に係る画像形成装置１の構成を示すブロック図である。この画像形成装置１は、複写機、プリンタ、ファクシミリ等のように、紙等の記録材に対して画像を印刷する装置である。画像形成装置１の印刷方式は、特に限定されないが、例えば電子写真方式やインクジェット方式などである。ここでは、画像形成装置１は、コピー機能やプリント機能等を備えた電子写真方式のデジタル複合機である。そして、図１に示されるとおり、画像形成装置１は、画像形成装置本体（以下、「装置本体」と称す）１０に一以上のオプション装置２０を装着可能な構成となっている。
【００１３】
装置本体１０は、画像形成装置１の中心となる部分であり、オプション装置２０が装着される部分である。また、装置本体１０は、プリントエンジンを備えており、それ単体で画像形成機能を奏する。
【００１４】
オプション装置２０は、装置本体１０に選択的に装着されるユニットであり、一般には画像形成装置１の機能を追加するものである。図１には、オプション装置２０として、フィニッシャ２０Ａ、自動原稿送り装置（ＡＤＦ）２０Ｂ、および大容量給紙トレイ２０Ｃが代表的に示されている。画像形成装置１の機能構成は、装着されるオプション装置２０の種類によって変化する。例えば、フィニッシャ２０Ａが装着された場合にはステイプル機能やパンチ機能などが追加され、ＡＤＦ２０Ｂが装着された場合には自動原稿読み取り機能が追加され、大容量給紙トレイ２０Ｃが装着された場合には大容量給紙機能が追加される。なお、オプション装置２０としては、他に、トレイレス両面印刷ユニット、３トレイモジュール／タンデムトレイ装置、大容量スタッカ、多段排出トレイ（メールボックス）、自動両面原稿送り装置（ＤＡＤＦ）、オフセットキャッチトレイなどがある。
【００１５】
各オプション装置２０は、オプションコントローラ２１を備えている。図１では、オプション装置２０Ａ，２０Ｂ，２０Ｃは、それぞれオプションコントローラ２１Ａ，２１Ｂ，２１Ｃを備えている。一方、装置本体１０は、本体コントローラ１１を備えている。
【００１６】
本体コントローラ１１と各オプションコントローラ２１とは、通信線により接続される。ここでは、次のような構成によって接続される。すなわち、本体コントローラ１１には、それぞれオプション装置２０Ａ，２０Ｂ，２０Ｃに対応するハーネス１３Ａ，１３Ｂ，１３Ｃの一端が接続されている。ハーネス１３Ａ，１３Ｂ，１３Ｃのそれぞれの他端にはコネクタ１４Ａ，１４Ｂ，１４Ｃが設けられている。コネクタ１４Ａ，１４Ｂ，１４Ｃは、装置本体１０のフレームに固定されており、外部に露出している。一方、オプションコントローラ２１Ａ，２１Ｂ，２１Ｃには、それぞれハーネス２３Ａ，２３Ｂ，２３Ｃの一端が接続されている。ハーネス２３Ａ，２３Ｂ，２３Ｃのそれぞれの他端にはコネクタ２４Ａ，２４Ｂ，２４Ｃが設けられている。コネクタ２４Ａ，２４Ｂ，２４Ｃは、それぞれオプション装置２０Ａ，２０Ｂ，２０Ｃのフレームに固定されており、外部に露出している。そして、装置本体側のコネクタ１４Ａ，１４Ｂ，１４Ｃと、オプション装置側のコネクタ２４Ａ，２４Ｂ，２４Ｃとは、それぞれ、両端にコネクタを有するハーネス３０Ａ，３０Ｂ，３０Ｃにより互いに接続される。ただし、本体コントローラ１１とオプションコントローラ２１とを接続する通信線の具体的構成は上記に限定されない。
【００１７】
オプションコントローラ２１は、オプション装置２０を制御する制御装置である。具体的には、オプションコントローラ２１は、外部からの指示に従ってオプション装置２０内の各種アクチュエータ（モータ、電磁ソレノイド等）や各種センサなどを制御する。ここでは、オプションコントローラ２１は、ＣＰＵ、ＲＯＭ、ＲＡＭ、ＡＳＩＣ等が搭載された制御回路基板である。ただし、オプションコントローラ２１の具体的構成は特に限定されない。
【００１８】
本体コントローラ１１は、上記通信線を介してオプションコントローラ２１と通信（例えばシリアル通信）を行い、オプションコントローラ２１を制御する上位の制御装置である。具体的には、本体コントローラ１１は、オプション装置２０により実行されるべき動作に対応する指示を、オプションコントローラ２１に送信する。ここでは、本体コントローラ１１は、ＣＰＵ、ＲＯＭ、ＲＡＭ、ＡＳＩＣ等が搭載された制御回路基板であり、画像形成装置１全体を制御する役割も果たす。ただし、本体コントローラ１１の具体的構成は特に限定されない。
【００１９】
また、各オプション装置２０には、無線タグ２２が取り付けられている。図１では、オプション装置２０Ａ，２０Ｂ，２０Ｃには、それぞれ無線タグ２２Ａ，２２Ｂ，２２Ｃが取り付けられている。一方、装置本体１０には、タグリーダ１２が設けられている。
【００２０】
無線タグ２２は、外部からの問い掛けに対して応答を返す非接触型のタグである。この無線タグ２２は、非接触ＩＣタグ、ＲＦＩＤ（Radio Frequency Identification）タグなどとも呼ばれるものである。無線タグ２２の応答は、適宜に設定されればよいが、オプション装置２０の種別を識別する観点より、オプション装置２０の種別を示す情報を含むことが好ましい。本実施の形態では、無線タグ２２は、個体識別コードを予め保持しており、外部からの問い掛けに対して個体識別コードを応答として返す。この個体識別コードは、オプション装置２０の種別を識別するための種別コードと、同一種別における個体を識別するための個体コード（製造番号等）とを含んで構成されている。種別コードは、図２に示されるように、オプション装置２０の種別毎に設定されている。例えば、フィニッシャには「０４」、ＡＤＦには「０７」、大容量給紙トレイには「０２」が設定されている。
【００２１】
タグリーダ１２は、送信アンテナを介して無線タグ２２に対する問い掛けを行い、受信アンテナを介して問い掛けに対する無線タグ２２からの応答を受ける無線タグ用の読み取り装置である。
【００２２】
画像形成装置１は、さらに、機能ブロックとして断線検知部１１ａと断線通知部１１ｂとを有する。これらの機能ブロックは、どのような態様で実現されても構わないが、ここでは本体コントローラ１１の機能モジュールであり、ＲＯＭ等の記憶媒体に格納されたプログラムがＣＰＵに実行されることによって実現される。
【００２３】
断線検知部１１ａは、各オプション装置２０について、本体コントローラ１１が当該オプション装置のオプションコントローラ２１との通信に失敗した場合であって、かつ、タグリーダ１２が当該オプション装置の無線タグ２２からの応答を受けた場合、当該オプション装置に係る通信線に断線の可能性有りと判断する。ここで、当該オプション装置に係る通信線とは、当該オプション装置のオプションコントローラ２１と本体コントローラ１１とを繋ぐ通信線である。また、通信線の断線には、コネクタの抜け、コネクタの付け忘れ、コネクタの接触不良、ケーブルの断線などが含まれる。断線通知部１１ｂは、断線検知部１１ａにより断線の可能性有りと判断された場合に、その旨をユーザに通知する。
【００２４】
次に、上記構成を有する画像形成装置１の動作について、第１の動作例と第２の動作例とに分けて説明する。なお、画像形成装置１の画像形成動作については、広く知られているので、ここでは説明を省略することとする。
【００２５】
（第１の動作例）
図３は、画像形成装置１の第１の動作例を示すフローチャートである。図３において、本体コントローラ１１は、電源投入直後やジョブ開始直前などの適宜のタイミングで、フィニッシャ２０Ａのオプションコントローラ２１Ａとの通信（シリアル通信等）を試みる（Ｓ１１）。具体的には、本体コントローラ１１は、通信線を介してオプションコントローラ２１Ａに問合せ信号を送信する。このとき、フィニッシャ２０Ａが装置本体１０に正常に装着されていれば、オプションコントローラ２１Ａから本体コントローラ１１に応答信号が返信される。
【００２６】
本体コントローラ１１は、オプションコントローラ２１Ａとの通信に成功した場合（Ｓ１２：ＹＥＳ）、具体的には問合せ信号に対応する所定の応答信号を受けた場合、以後、フィニッシャ２０Ａが正常に装着されているものとして画像形成装置１の制御を行う（Ｓ１３）。例えば、本体コントローラ１１は、コントロールパネル（不図示）にステイプル機能の選択を促すボタンを表示し、当該ボタンが選択されてからコピースタートボタンが押された場合には、フィニッシャ２０Ａにステイプル動作を指示する。
【００２７】
一方、本体コントローラ１１は、オプションコントローラ２１Ａとの通信に失敗した場合（Ｓ１２：ＮＯ）、具体的には問合せ信号に対応する所定の応答信号を受けなかった場合、タグリーダ１２に無線タグへの問い掛けを指示する。この指示に応じて、タグリーダ１２は、送信アンテナから問い掛け信号を送出する（Ｓ１４）。ここでは、オプション装置の種別に関わらず、この問い掛け信号を受信した無線タグ２２は、その個体識別コードを応答信号としてタグリーダ１２に返す。タグリーダ１２は、無線タグ２２から個体識別コードを受信すると、受信した個体識別コードを本体コントローラ１１に渡す。
【００２８】
なお、上記の問い掛け信号の信号強度は、無線タグ２２Ａに到達可能な大きさであることが必要であるが、装置本体近傍のフィニッシャ（例えば隣接する他の装置本体に装着されたフィニッシャ）の存在を考慮すると、可能な限り小さいことが好ましい。
【００２９】
本体コントローラ１１は、フィニッシャの種別コード「０４」を持つ個体識別コードをタグリーダ１２から受け取らなかった場合、すなわちフィニッシャ２０Ａの無線タグ２２Ａからの応答が無かった場合（Ｓ１５：ＮＯ）、フィニッシャ２０Ａは未装着であると判断する（Ｓ１６）。そして、本体コントローラ１１は、フィニッシャ２０Ａは未装着であるものとして画像形成装置１の制御を行う（Ｓ１７）。例えば、本体コントローラ１１は、ステイプル機能の選択を促すボタンのコントロールパネルへの表示を行わないこととする。
【００３０】
一方、本体コントローラ１１は、フィニッシャの種別コード「０４」を持つ個体識別コードをタグリーダ１２から受け取った場合、すなわちフィニッシャ２０Ａの無線タグ２２Ａからの応答が有った場合（Ｓ１５：ＹＥＳ）、フィニッシャ２０Ａが存在する一方でコントローラ間の通信が不能であるので、本体コントローラ１１とオプションコントローラ２１Ａとの間の通信線に断線の可能性有りと判断する（Ｓ１８）。そして、本体コントローラ１１は、本体コントローラ１１とオプションコントローラ２１Ａとの間の通信線に断線の可能性が有る旨を表示や音声等によりユーザに通知する（Ｓ１９）。例えば、本体コントローラ１１は、断線の可能性を報知する画面、コネクタの接続の確認を促す画面、ハーネスの交換を促す画面などをコントロールパネル上に表示させる。また、本体コントローラ１１は、上記通信線が断線しているものとして画像形成装置１の制御を行う（Ｓ２０）。例えば、本体コントローラ１１は、ステイプル機能の選択を促すボタンのコントロールパネルへの表示を行わないこととする。また、場合によっては画像形成動作を禁止する。
【００３１】
なお、上記の説明ではフィニッシャ２０Ａに着目して画像形成装置１の動作を説明したが、ＡＤＦ２０Ｂや大容量給紙トレイ２０Ｃなどの他のオプション装置２０についても、上記と同様の動作が実行される。
【００３２】
（第２の動作例）
図４は、画像形成装置１の第２の動作例を示すフローチャートである。図４において、本体コントローラ１１は、電源投入直後やジョブ開始直前などの適宜のタイミングで、タグリーダ１２に無線タグへの問い掛けを指示する。この指示に応じて、タグリーダ１２は、送信アンテナから問い掛け信号を送出する（Ｓ２１）。ここでは、問い掛け信号はすべてのオプション装置２０の無線タグ２２に対して送出される。そして、オプション装置の種別に関わらず、この問い掛け信号を受信した無線タグ２２は、その個体識別コードを応答信号としてタグリーダ１２に返す。タグリーダ１２は、無線タグ２２から個体識別コードを受信すると、受信した個体識別コードを本体コントローラ１１に渡す。
【００３３】
以下、フィニッシャ２０Ａに着目して説明することとするが、ＡＤＦ２０Ｂや大容量給紙トレイ２０Ｃなどの他のオプション装置２０についても、以下と同様の動作が実行される。
【００３４】
本体コントローラ１１は、フィニッシャの種別コード「０４」を持つ個体識別コードをタグリーダ１２から受け取らなかった場合、すなわちフィニッシャ２０Ａの無線タグ２２Ａからの応答が無かった場合（Ｓ２２：ＮＯ）、フィニッシャ２０Ａは未装着であると判断する（Ｓ２３）。そして、本体コントローラ１１は、フィニッシャ２０Ａは未装着であるものとして画像形成装置１の制御を行う（Ｓ２４）。例えば、本体コントローラ１１は、ステイプル機能の選択を促すボタンのコントロールパネルへの表示を行わないこととする。
【００３５】
一方、本体コントローラ１１は、フィニッシャの種別コード「０４」を持つ個体識別コードをタグリーダ１２から受け取った場合、すなわちフィニッシャ２０Ａの無線タグ２２Ａからの応答が有った場合（Ｓ２２：ＹＥＳ）、フィニッシャ２０Ａは装着されていると判断し、オプションコントローラ２１Ａとの通信（シリアル通信等）を試みる（Ｓ２５）。具体的には、本体コントローラ１１は、通信線を介してオプションコントローラ２１Ａに問合せ信号を送信する。このとき、フィニッシャ２０Ａが装置本体１０に正常に装着されていれば、オプションコントローラ２１Ａから本体コントローラ１１に応答信号が返信される。
【００３６】
本体コントローラ１１は、オプションコントローラ２１Ａとの通信に成功した場合（Ｓ２６：ＹＥＳ）、具体的には問合せ信号に対応する所定の応答信号を受けた場合、以後、フィニッシャ２０Ａが正常に装着されているものとして画像形成装置１の制御を行う（Ｓ２７）。例えば、本体コントローラ１１は、コントロールパネルにステイプル機能の選択を促すボタンを表示し、当該ボタンが選択されてからコピースタートボタンが押された場合には、フィニッシャ２０Ａにステイプル動作を指示する。
【００３７】
一方、本体コントローラ１１は、オプションコントローラ２１Ａとの通信に失敗した場合（Ｓ２６：ＮＯ）、具体的には問合せ信号に対応する所定の応答信号を受けなかった場合、フィニッシャ２０Ａが存在する一方でコントローラ間の通信が不能であるので、本体コントローラ１１とオプションコントローラ２１Ａとの間の通信線に断線の可能性有りと判断する（Ｓ２８）。そして、本体コントローラ１１は、本体コントローラ１１とオプションコントローラ２１Ａとの間の通信線に断線の可能性が有る旨を表示や音声等によりユーザに通知する（Ｓ２９）。例えば、本体コントローラ１１は、断線の可能性を報知する画面、コネクタの接続の確認を促す画面、ハーネスの交換を促す画面などをコントロールパネル上に表示させる。また、本体コントローラ１１は、上記通信線が断線しているものとして画像形成装置１の制御を行う（Ｓ３０）。例えば、本体コントローラ１１は、ステイプル機能の選択を促すボタンのコントロールパネルへの表示を行わないこととする。また、場合によっては画像形成動作を禁止する。
【００３８】
以上説明した本実施の形態によれば、以下の効果が得られる。
【００３９】
（１）本実施の形態では、装置本体にオプション装置を装着可能な画像形成装置において、オプション装置側に無線タグを設ける一方、装置本体側にタグリーダを設け、本体コントローラがオプションコントローラとの通信に失敗し、かつ、タグリーダが無線タグからの応答を受けた場合には、本体コントローラとオプションコントローラとを接続する通信線に断線の可能性有りと判断する。このように、本実施の形態によれば、本体コントローラとオプションコントローラとの間の通信線の断線の可能性を検知することができる。これにより、通信線の断線に対する処置を迅速に行うことが可能となる。
【００４０】
（２）特に、オプション装置の存在の有無を無線タグシステムによって検知することにより、次の効果が得られる。
【００４１】
オプション装置の存在の有無を検知する別の構成として、装置本体のオプション装置との当接部位に装着検知用のセンサ（電気接点やメカスイッチ等）を設置する構成が考えられる。この構成では、本体コントローラと装着検知用のセンサとをハーネスで接続する必要があり、装置本体内にハーネスを引き回す必要がある。このため、装置レイアウトが制約される、オプション装置の数の増大と共にハーネスの本数が増えてしまう、設計においてオプション装置の追加に柔軟に対応することができない、ハーネスのコストが掛かる、といった問題がある。また、当該構成では、装着検知用のセンサの各々について、本体コントローラのＣＰＵのＩ／Ｏポートを割り当てる必要がある。このため、有限のコンピュータ資源であるＩ／Ｏポートがオプション装置の増大に伴って消費される、オプション装置の数がＩ／Ｏポート数により制限される、といった問題がある。
【００４２】
これに対し、本実施の形態では、無線タグシステムを利用するので、上記のオプション装置毎のハーネスの引き回しやＩ／Ｏポートの割り当てが必要とされない。このため、上記ハーネスやＩ／Ｏポートに関する問題がなく、装置レイアウトの自由度が大きい、設計においてハーネスやＩ／Ｏポートを追加することなくオプション装置を追加することができる、といった効果が得られる。
【００４３】
また、１つのタグリーダで複数のオプション装置の存在を検知することができるので、多数のオプション装置が装着可能である場合に特に顕著な効果が得られる。
【００４４】
さらに、近年、無線タグ技術の進歩に伴い、多くの商品について商品管理用の無線タグが取り付けられる傾向にあるが、本実施の形態では、オプション装置に取り付けられた商品管理用の無線タグを断線検知に利用することが可能であり、コスト的に有利である。
【００４５】
（３）信号線に断線の可能性有りと判断した場合には、その旨をユーザに通知する。このため、ユーザは、信号線の断線の可能性を早期に知ることができ、コネクタの確認や接続、ケーブルの確認や交換など、適切な対応を早期にとることができる。
【００４６】
（４）無線タグの応答には、オプション装置の種別を示す情報が含まれる。これにより、複数種別のオプション装置が装着可能な場合であっても、装着されているオプション装置の種別を簡易な構成で識別することができる。
【００４７】
なお、本発明は、上記実施の形態に限定されるものではなく、本発明の要旨を逸脱しない範囲内で種々変更することができる。
【００４８】
例えば、上記実施の形態では、タグリーダは不特定の無線タグに対して問い掛けを行っているが、特定のオプション装置の無線タグに対して限定的に問い掛けを行う構成であってもよい。この限定的な問い掛けは、通信プロトコルや電磁波の放射態様（指向方向、強度等）の制御など、適宜の方法によって実現可能である。
【図面の簡単な説明】
【００４９】
【図１】実施の形態に係る画像形成装置の構成を示すブロック図である。
【図２】種別コードとオプション装置の種別との対応表である。
【図３】画像形成装置の第１の動作例を示すフローチャートである。
【図４】画像形成装置の第２の動作例を示すフローチャートである。
【符号の説明】
【００５０】
１  画像形成装置、１０  画像形成装置本体（装置本体）、１１  本体コントローラ、１１ａ  断線検知部、１１ｂ  断線通知部、１２  タグリーダ、１３Ａ，１３Ｂ，１３Ｃ  ハーネス、１４Ａ，１４Ｂ，１４Ｃ  コネクタ、２０Ａ  フィニッシャ（オプション装置）、２０Ｂ  ＡＤＦ（オプション装置）、２０Ｃ  大容量給紙トレイ（オプション装置）、２１Ａ，２１Ｂ，２１Ｃ  オプションコントローラ、２２Ａ，２２Ｂ，２２Ｃ  無線タグ、２３Ａ，２３Ｂ，２３Ｃ  ハーネス、２４Ａ，２４Ｂ，２４Ｃ  コネクタ、３０Ａ，３０Ｂ，３０Ｃ  ハーネス。
【図１】
2006163092.tif 000003
【図２】
2006163092.tif 000004
【図３】
2006163092.tif 000005
【図４】
2006163092.tif 000006